(57)【特許請求の範囲】
【請求項１】
ハウジング内にＤＣモータとこれに回転シャフトを介して連動連結された圧縮機構を収容設置した状態で上記ＤＣモータのステータとロータの位相を合わせてロータに着磁する電動圧縮機において、
上記回転シャフトの軸端に合せマークを設けるとともに上記ハウジングの上記回転シャフトの軸端に対向する部位に外部に貫通する穴を設け、上記ロータの着磁時上記合せマークと穴を利用して上記ステータとロータの位置決めを行うことを特徴とする電動圧縮機。
【請求項２】
着磁後、上記穴にシールボルトを螺入することによってこれを閉塞したことを特徴とする請求項１記載の電動圧縮機。
【請求項３】
上記穴をハウジングに取り付けられた吸入フィッティングブロックの取り付け用ボルト穴と兼用したことを特徴とする請求項１記載の電動圧縮機。
【請求項４】
上記穴を上記ハウジングに取り付けられた吸入フィッティングブロックで閉鎖したことを特徴とする請求項１記載の電動圧縮機。
【請求項５】
上記ハウジングに上記穴と連通する吸入口を有する吸入フィッティングブロックを取り付けたことを特徴とする請求項１記載の電動圧縮機。
【請求項６】
ハウジング内にＤＣモータとこれに回転シャフトを介して連動連結された圧縮機構を収容設置した状態で上記ＤＣモータのステータとロータの位相を合わせて着磁する電動圧縮機において、
上記ロータの端面に合せマークを設けるとともに上記ハウジングの上記合せマークと対向する部位にガス吸入口を設け、上記ロータの着磁時上記合せマークと穴を利用して上記ステータとロータの位置決めを行うことを特徴とする電動圧縮機。
【発明の詳細な説明】
【０００１】
【発明の属する技術分野】
本発明は空気調和機等に組み込まれる電動圧縮機に関する。
【０００２】
【従来の技術】
従来の電動圧縮機の１例が図６に示されている。
図６において、４はハウジングで、カップ状右ハウジング４９と、フレーム５と、カップ状左ハウジング４３とからなり、これらはボルト５６によって互いに締結されている。
右ハウジング４９の内部にはＤＣモータＭが配設され、左ハウジング４３の内部にはスクロール型圧縮機構Ｃがそれぞれ配設されている。
【０００３】
ＤＣモータＭとスクロール型圧縮機構Ｃは回転シヤフト３を介して互いに連動連結されている。
回転シヤフト３の右端はサブベアリング５１を介して右ハウジング４９に軸承され、左端はメインベアリング５２を介してフレーム５に軸承されている。
【０００４】
ＤＣモータＭはロータＭａ  とステータＭｂ  とからなり、ロータＭａ  は回転シヤフト３に固定され、ステータＭｂ  は右ハウジング４９に圧入することによって固定されている。
【０００５】
スクロール型圧縮機構Ｃは固定スクロール１、旋回スクロール２を具備している。
【０００６】
固定スクロール１は端板１１とその内面に立設されたうず巻状ラップ１２とを備え、この端板１１の外周面を左ハウジング４３の内周面に密接させることによって端板１１の左側には吐出室４６が形成され、右側には吸入室４７が形成されている。
【０００７】
また、端板１１の中央には吐出ポート１３が穿設され、この吐出ポート１３は吐出弁１７によって開閉されるようになっている。
そして、この端板１１の外面から左方に突出する複数の突起１５にボルト５７を螺入することによって固定スクロール１は左ハウジング４３に締結されている。
【０００８】
旋回スクロール２は端板２１とこの内面に立設されたうず巻状ラップ２２とを備え、この端板２１の外面中央に立設されたボス２３内にはドライブブッシュ３２が旋回軸受３４を介して回動自在に嵌装されている。
このドライブブッシュ３２に穿設されたスライド溝３３内には回転シヤフト３の左端に偏心して突設された偏心駆動ピン３１がスライド可能に嵌合されている。
【０００９】
端板２１の外面はスラストベアリング５３を介してフレーム５の左端面と摺接し、端板２１とフレーム５との間に介装されたオルダムリンク６によって旋回スクロール２の自転を阻止している。
【００１０】
固定スクロール１と旋回スクロール２とを相互に所定距離だけ偏心させ、かつ、１８０  度だけ角度をずらせて噛合させることによって複数個の圧縮室２４が形成されている。
【００１１】
ＤＣモータＭを駆動すると、回転シヤフト３、偏心駆動ピン３１、スライド溝３３、ドライブブッシュ３２、旋回軸受３４、ボス２３等からなる旋回駆動機構を介して旋回スクロール２が駆動され、旋回スクロール２はオルダムリンク６によって自転を阻止されながら公転旋回半径の円軌道上を公転旋回運動する。
【００１２】
すると、ミスト状の潤滑油を含む低温の冷媒ガスが吸入口４４を経て低圧室４８に入り、このガスはステータＭｂ  の外周に設けられた通路５８及びステータＭｂ  とロータＭａ  との間隙５９を通る過程でＤＣモータＭを冷却した後、フレーム５に設けられた通路５４及び吸入室４７を経て圧縮室２４内に吸い込まれる。
【００１３】
そして、旋回スクロール２の公転旋回運動により圧縮室２４の容積が減少するのに伴って圧縮されながら中央部に至り、中央部から吐出ポート１３を通り吐出弁１７を押し開いて吐出室４６内へ吐出され、ここから吐出口４５を経て外部に流出する。
【００１４】
【発明が解決しようとする課題】
上記従来の電動圧縮機においては、スクロール型圧縮機構Ｃ及びＤＣモータＭをハウジング４内に収容設置した状態でステータＭｂとロータＭａの位相を合わせた後、ステータＭｂに通電することによってロータＭａに着磁していたため、ＤＣモータＭの着磁作業に時間及び手数が掛かるという問題があった。
【００１５】
【課題を解決するための手段】
本発明は上記課題を解決するために発明されたものであって、その特徴とするところは、回転シャフトの軸端に合せマークを設けるとともにハウジングの回転シャフトの軸端に対向する部位に外部に貫通する穴を設け、ロータの着磁時上記合せマーク及び穴を利用してステータとロータの位置決めを行うことにある。
【００１６】
他の特徴とするところは、着磁後、上記穴にシールボルトを螺入することによってこれを閉塞したことにある。
【００１７】
更に他の特徴とするところは、上記穴をハウジングに取り付けられた吸入フィッティングブロックの取り付け用ボルト穴と兼用したことにある。
【００１８】
更に他の特徴とするところは、上記穴を上記ハウジングに取り付けられた吸入フィッティングブロックで閉鎖したことにある。
【００１９】
更に他の特徴とするところは、上記ハウジングに上記穴と連通する吸入口を有する吸入フィッティングブロックを取り付けたことにある。
【００２０】
更に他の特徴とするところは、ロータの端面に合せマークを設けるとともにハウジングの上記合せマークと対向する部位にガス吸入口を設け、上記ロータの着磁時上記合せマークと穴を利用してステータとロータの位置決めを行うことにある。
【００２１】
【発明の実施の形態】
本発明の１実施形態が図１に示されている。
回転シャフト３の右端面には十字形状の切り欠きからなる合せマーク６０が刻設されている。
右ハウジング４９には回転シャフト３の右端に対向する位置に外部に貫通する穴６１が穿設され、この穴６１はＯリング等を具備するシールボルト６２を螺入することによって閉塞される。
【００２２】
なお、６３はガス吸入口、６４は吸入フィッティングブロックで、ボルト６５によって右ハウジング４９の外面に締結されている。
他の構成は図６に示す従来のものと同様であり、対応する部材には同じ符号を付してその説明を省略する。
【００２３】
しかして、ハウジング４内にＤＣモータＭ及びスクロール型圧縮機構Ｃを収容設置した後、ハウジング４の外部から図示しない治具を穴６１を貫通してハウジング４内に挿入し、治具の先端を十字形状の切り欠きからなる合せマーク６０に係合する。
【００２４】
次いで、治具をその軸まわりに回転させることによって回転シャフト３及びこれに固定されたＤＣモータＭのロータＭａを回転させてロータＭａとステータＭｂの位相を合わせる。
【００２５】
しかる後、図示しない電線を通してステータＭｂに通電すると、このステータＭｂからロータＭａに磁力線が作用してその多数の鉄芯は所定の状態に磁化され、着磁作業が終了する。
着磁作業の終了後、穴６１にシールボルト６２を螺入することによって穴６１は閉塞される。
【００２６】
かくして、合せマーク６０及び穴６１を利用することによってＤＣモータＭのステータＭｂとロータＭａとの位相を正確に、かつ、容易に合わせることができ、従って、ロータＭａの着磁作業を容易、かつ、迅速に行うことができる。
【００２７】
なお、合せマーク６０を十字形状の切り欠きとすれば、この合せマーク６０を穴６１を透して見ることによって回転シャフト３の位相を容易に知ることができ、また、この切り欠きに治具を係合させることによって回転シャフト３を容易に回転させることができる。
【００２８】
本発明の第２の実施形態が図２に示されている。
この第２の実施形態においては、穴６１は吸入フィッティングブロック６４をハウジング４９に取り付けるためのボルト６８のボルト穴を兼ねている。
他の構成は図１に示す第１の実施例と同様である。
【００２９】
しかして、ＤＣモータＭのロータＭａへの着磁作業終了後、吸入フィッティングブロック６４をハウジング４９に締結するため、ボルト６５を螺入すると同時にボルト６８を穴６１に螺入すると、穴６１はボルト６８によって閉塞される。
【００３０】
本発明の第３の実施形態が図３に示されている。
この第３の実施形態においては、吸入フィッティングブロック６４をボルト６５及び６９によって右ハウジング４９に締結すると、穴６１はこの吸入フィッティングブロック６４によって閉塞しうるようになっている。他の構成は図１に示す第１の実施例と同様である。
【００３１】
しかして、ＤＣモータＭのロータＭａへの着磁作業終了後、ボルト６５、６９によって吸入フィッティングブロック６４を右ハウジング４９に締結すると、穴６１は吸入フィッティングブロック６４によって閉塞される。
【００３２】
本発明の第４の実施形態が図４に示されている。
この第４の実施形態においては、右ハウジング４９の外面に吸入ブロック６６が図示しない手段によって取り付けられ、この吸入ブロック６６に吸入フィッティングブロック６４がボルト６５によって締結されている。
吸入フィッティングブロック６４の吸入口６７は吸入ブロック６６の吸入通路７０を介して穴６１と連通する。
他の構成は図１に示す第１の実施例と同様である。
【００３３】
しかして、治具を吸入フィッティングブロック６４の吸入口６７、吸入通路７０及び穴６１を貫通してハウジング４内に挿入してその先端を合せマーク６０に係合してＤＣモータＭのロータＭａを回転させることによりロータＭａとステータＭｂの位相を合わせる。
【００３４】
電動圧縮機の運転時、ガスの大部分は吸入口６７、吸入通路７０及びガス吸入口６３を経て低圧室４８内に吸入されるが、ガスの一部は穴６１を通りサブベアリング５１のまわりを流過するので、このガスに含まれている潤滑油のミストによってサブベアリング５１を潤滑しうる。
【００３５】
本発明の第５の実施形態が図５に示されている。
この第５の実施形態においては、ＤＣモータＭのロータＭａの右端面に合せマーク７１が設けられ、右ハウジング４９には合せマーク７１と対向する部位にガス吸入口６３が形成されている。なお、６４は吸入フィッティングブロック、６５は取り付けボルトである。
【００３６】
しかして、ハウジング４内にＤＣモータＭ及びスクロール型圧縮機構Ｃを収容設置した後、ガス吸入口６３から治具等を挿入してロータＭａを回転させることによりその合せマーク７１をガス吸入口６３と対向させることによってロータＭａとステータＭｂの位相を合わせ、この状態でロータＭａに着磁する。
【００３７】
【発明の効果】
請求項１記載の発明においては、回転シャフトの軸端に設けた合せマークとハウジングに設けた穴を利用してロータとステータとの位相を容易、かつ、迅速に合わせることができるので、ロータの着磁作業を容易、かつ、迅速に行うことができる。
【００３８】
請求項２においては、着磁後、穴にシールボルトを螺入することによってこの穴を閉塞できる。
【００３９】
請求項３においては、吸入フィッティングブロックの取り付け用ボルトを穴に螺入することによって穴はこのボルトによって閉塞される。
【００４０】
請求項４においては、吸入フィッティングブロックをハウジングに取り付けると、穴は吸入フィッティングブロックによって閉塞される。
【００４１】
請求項５においては、吸入フィッティングブロックの吸入口及び穴を利用してロータとステータとの位相を合わせることができるとともに電動圧縮機の運転時この穴を通るガスに含まれる潤滑油のミストによって回転シヤフトの軸受を潤滑できる。
【００４２】
請求項６においては、ロータに設けられた合せマークをガス吸入口と対向させることによってＤＣモータのロータとステータとの位相を容易、かつ、迅速に合わせることができる。
【図面の簡単な説明】
【図１】本発明の第１の実施形態を示す部分的縦断面図である。
【図２】本発明の第２の実施形態を示す部分的縦断面図である。
【図３】本発明の第３の実施形態を示す部分的縦断面図である。
【図４】本発明の第４の実施形態を示す部分的縦断面図である。
【図５】本発明の第５の実施形態を示す部分的縦断面図である。
【図６】従来の電動圧縮機の縦断面図である。
【符号の説明】
４  ハウジング
Ｍ  ＤＣモータ
Ｍａ    ロータ
Ｍｂ  ステータ
３  回転シャフト
６０  合せマーク
６１  穴
６２  シールボルト
６４  吸入フィッティングブロック
【図１】
0003605194.tif 000002
【図２】
0003605194.tif 000003
【図３】
0003605194.tif 000004
【図４】
0003605194.tif 000005
【図５】
0003605194.tif 000006
【図６】
0003605194.tif 000007